(57)【要約】【課題】  多数の鍵体の中から所望の鍵体を容易に選択するとともに、その鍵体をそのまま鍵穴に差し込み可能な姿勢で取り出せる鍵体及びホルダ付き鍵体を提供することにある。【解決手段】  鍵体１は、長手方向に延びる胴部を有するものであって、頭部３と、胴部とを備えている。頭部３は、リング９が挿通可能なリング孔９と、リング孔９の近傍であって長手方向に対し両側の外縁に設けられたくびれ部１０，１１とを有する。胴部は、頭部３から長手方向に延びるとともに、鍵山部２を有する。【選択図】      図２
2006348679.tif 000002
【特許請求の範囲】
【請求項１】
長手方向に延びる胴部を有する鍵体であって、
リング状部材が挿通可能な第１取付孔と、前記第１取付孔の近傍であって前記長手方向に対し少なくとも片側の外縁に設けられたくびれ部とを有する頭部と、
前記頭部から前記長手方向に延びるとともに、鍵山部を有する前記胴部と、
を備えた鍵体。
【請求項２】
長手方向に延びる胴部を有する鍵体であって、
リング状部材が挿通可能な第１取付孔と、前記第１取付孔の近傍であって前記長手方向に対し少なくとも片側の外縁に設けられ、紐状部材が挿通可能な第２取付孔とを有する頭部と、
前記頭部から前記長手方向に延びるとともに、鍵山部を有する前記胴部と、
を備えた鍵体。
【請求項３】
長手方向に延びる鍵体を含むホルダ付き鍵体であって、
リング状部材が挿通可能な第１取付孔を有する頭部と、前記頭部から前記長手方向に延びるとともに鍵山部を有する胴部とを備えた鍵体と、
前記鍵体の頭部に装着され、前記長手方向に対し少なくとも片側において紐状部材を挿通可能なホルダと、
を含むホルダ付き鍵体。
【請求項４】
前記ホルダは、伸縮性素材で構成され、前記紐状部材を挿通可能でありかつ前記鍵体に装着された状態で前記長手方向の片側に配置される第３取付孔を有する、請求項３に記載のホルダ付き鍵体。
【請求項５】
前記ホルダは、略くの字型に構成され、一端部が前記頭部の第１取付孔に係止可能であり、他端部が前記頭部及び胴部の境界部分に係止可能であるとともに、前記紐状部材を挿通可能でありかつ前記鍵体に装着された状態で前記長手方向に対し少なくとも片側に前記鍵体との間で第３取付孔を形成可能である、請求項３に記載のホルダ付き鍵体。
【発明の詳細な説明】
【技術分野】
【０００１】
本発明は、鍵体及びこれを含むホルダ付き鍵体、特に、長手方向に延びる胴部を有する鍵体及びホルダ付き鍵体に関する。
【背景技術】
【０００２】
鍵体は、一般に、リング状部材が挿通可能な取付孔を有する頭部と、この頭部から長手方向に延びる胴部とを備え、胴部には、鍵山部が設けられている。このような鍵体は、キーホルダ等に設けられたリング状部材を取付孔に挿通され、複数の鍵体が１つのリング状部材に束ねられた形態で利用されることが多い。
【０００３】
しかし、１つのリング状部材で束ねられた多くの鍵体の中から、いずれか所望の鍵体を選択するのは、煩わしさが伴う。そこで、例えば、所定の鍵体に対しマーカー等によって予め色を付したり、合い鍵店等に所定の鍵体の頭部の変形加工を依頼したりすることが挙げられる。しかし、前者の方法では、経時変化によりマーカーの色が薄くなってしまうため、その度に再度マーカーで塗る作業を行う必要があるし、後者の方法では、別途費用が生じる上に、変形された頭部の形状を覚えておく必要がある。
【０００４】
一方、上記のような鍵体は、所望の鍵体を選択するのみでは足りず、鍵穴に差し込めるように鍵山部を上向きか下向きかにする必要がある。しかし通常は、鍵体同士の形状が比較的似通っているために、鍵穴が上向きか下向きかを確認することなく、鍵体を鍵穴に差し込もうとして、差し込めなかったら逆向きにして再度差し込むといった動作が行われるので、鍵体自体が違うものであれば、いずれの向きでも差し込めず、結果として、適切な鍵体でかつ適切な向きで差し込まれるまで、何度も同様の動作を繰り返さざるを得なくなり、煩わしさが増す。
【０００５】
特に、このような動作は、暗い場所で行う場合や、或いは、お年寄り、目の不自由な者にとっては、このような煩雑さはより一層増す。
【発明の開示】
【発明が解決しようとする課題】
【０００６】
本発明の目的は、多数の鍵体の中から所望の鍵体を容易に選択するとともに、その鍵体をそのまま鍵穴に差し込み可能な姿勢で取り出せる鍵体及びホルダ付き鍵体を提供することにある。
【課題を解決するための手段】
【０００７】
請求項１に係る鍵体は、長手方向に延びる胴部を有する鍵体であって、頭部と、胴部とを備えている。頭部は、リング状部材が挿通可能な第１取付孔と、第１取付孔の近傍であって長手方向に対し少なくとも片側の外縁に設けられたくびれ部とを有する。胴部は、頭部から長手方向に延びるとともに、鍵山部を有する。
【０００８】
なお、鍵山部には、胴部において、長手方向に対し片側または両側の外縁に設けられたもののほか、胴部の上下方向外縁以外の部分に設けられた長手方向に延びる形状の凹部若しくは断続的な複数のディンプル形状の凹部、或いはこれらの組み合わせによるもの等も含まれる。
【０００９】
請求項２に係る鍵体は、長手方向に延びる胴部を有する鍵体であって、頭部と、胴部とを備えている。頭部は、リング状部材が挿通可能な第１取付孔と、第１取付孔の近傍であって長手方向に対し少なくとも片側の外縁に設けられ、紐状部材が挿通可能な第２取付孔とを有する。胴部は、頭部から長手方向に延びるとともに、鍵山部を有する。
【００１０】
請求項３に係るホルダ付き鍵体は、長手方向に延びる胴部を有する鍵体であって、鍵体と、ホルダとを含む。鍵体は、リング状部材が挿通可能な第１取付孔を有する頭部と、頭部から長手方向に延びるとともに鍵山部を有する胴部とを備えている。ホルダは、鍵体の頭部に装着され、長手方向に対し少なくとも片側において紐状部材を挿通可能である。
【００１１】
請求項４に係るホルダ付き鍵体は、請求項３のホルダ付き鍵体において、ホルダは、伸縮性素材で構成され、紐状部材を挿通可能でありかつ鍵体に装着された状態で長手方向の片側に配置される第３取付孔を有する。
【００１２】
請求項５に係るホルダ付き鍵体は、請求項３のホルダ付き鍵体において、ホルダは、略くの字型に構成され、一端部が頭部の第１取付孔に係止可能であり、他端部が頭部及び胴部の境界部分に係止可能であるとともに、紐状部材を挿通可能でありかつ鍵体に装着された状態で長手方向に対し少なくとも片側に鍵体との間で第３取付孔を形成可能である。
【発明の効果】
【００１３】
本発明によれば、紐状部材を第２取付孔又はホルダの第３取付孔に取り付け、かつ、リング状部材で他の複数の鍵体を束ねた場合に、紐状部材を上方に引っ張ることで、他の鍵体は胴部が下方を向いた状態まま、利用したい鍵体の胴部が横方向を向いた姿勢で取り出すことができる。しかも、鍵穴内の形状に応じた上下方向姿勢で取り出すことができるので、そのままの姿勢で鍵穴に差し込むことができ、開錠又は施錠することができる。
【発明を実施するための最良の形態】
【００１４】
＜第１実施形態＞
図１に、本発明の第１実施形態が採用されたホルダ付き鍵体を示す。
このホルダ付き鍵体は、鍵体１と、鍵体１に装着されるホルダ４とを含む。
【００１５】
鍵体１は、頭部３と、長手方向に延びる胴部とを備えている。
頭部３は、図２に示すようなリング９（リング状部材）が挿通可能なリング穴５（第１取付孔）と、リング穴５の近傍であって長手方向に対し両側の外縁に設けられ、図２に示すようなストラップ８（紐状部材）が挿通可能な２つの小孔６（第２取付孔）とを有する。
【００１６】
胴部は、頭部３から一方の側に長手方向に延びるとともに、長手方向に対し上方側に鍵山部２を有する。なお、鍵体１は、ここでは、鍵山部２が上方を向いた状態で、所定の鍵穴に差し込めるものとする。
【００１７】
ホルダ４は、ゴム等の伸縮性素材で構成され、鍵体１の頭部３に装着される際に、上下方向に引っ張られた状態で鍵体１が挿通可能である、頭部３に対して密着して取付可能である。ホルダ４は、鍵体１に取り付けられた取付状態で長手方向に対し上方側に配置されるとともにストラップ８が挿通可能なストラップ取付孔１４（第３取付孔）を有する。
【００１８】
以上のホルダ付き鍵体では、例えば図３に示すように、ホルダ４のストラップ取付孔１４に名札７付きストラップ８を取り付け、かつ、リング９で他の複数の鍵体を束ねた場合、名札７を上方に引っ張ることで、他の鍵体は胴部が下方を向いた状態まま、鍵体１の胴部が横方向を向いた姿勢で取り出すことができる。しかも、鍵体１の鍵山部２が上方を向いた姿勢で取り出すことができるので、そのままの姿勢で鍵穴に差し込むことができ、開錠又は施錠することができる。
【００１９】
なお、ストラップ８は、鍵穴の向きが上下逆である場合は、ホルダ４は、取付孔１４が鍵山部２と逆側に配置されるよう、頭部３に装着することで、これと同様の効果が得られる。また、ホルダ４の取付孔１４に取り付ける代わりに、鍵体１の頭部３の小孔６に取り付けられても良い。この場合も上記と同様な効果が得られる。
【００２０】
＜第２実施形態＞
図２に、本発明の第２実施形態が採用された鍵体を示す。
ここでは、第１実施形態との相違に注目して説明する。
【００２１】
鍵体の頭部は、リング穴の近傍であって長手方向に対し両側の外縁に設けられた２つのくびれ部１０，１１とを有する。なお、鍵体は、ここでは、第１実施形態のような小孔は有しない。
【００２２】
ストラップ８は、一端部が、リング穴に挿通されかつ鍵山部２と同じく上方側のくびれ部１０に係止されて取り付けられるとともに、他端部が名札７に取り付けられている。
【００２３】
以上の鍵体１では、図３に示すようにリング９により複数の鍵体を束ねた場合は、利用したい鍵体１の名札７を上方に引っ張ることで、複数の鍵体の束の中から利用したい鍵体１のみを選択でき、選択された鍵体１を鍵穴に対しそのまま差し込み可能な姿勢で取り出すことができる。
【００２４】
また、ストラップ８は、くびれ部１０に係止されることで、頭部３の外周に対しずれるのが抑えられるので、名札７を引っ張っても鍵体１の胴部が上がらずに、利用したい鍵体１取り出せなくなる事態を回避できる。
【００２５】
なお、鍵穴の向きが上下逆である場合、ストラップ８は、くびれ部１１に係止させれば、これと同様な効果が得られる。
【００２６】
＜第３実施形態＞
図３に、本発明の第３実施形態が採用されたホルダ付き鍵体を示す。
ここでも、上記実施形態との相違に注目して説明する。
【００２７】
鍵体１は、ここでは、第１実施形態の小孔６や、第２実施形態のようなくびれ部１０，１１を有しない。
【００２８】
ホルダ１２は、ここでは、クリップ等のような金属製部材から作成され、図４に示すように、略くの字型に構成され、一端部が、２つのＬ字型端部を有し、他端部が１つのＵ字型端部を有している。ホルダ１２は、装着の際に、頭部３を挟み込むよう取り付けられ、一端部が、頭部３のリング穴５に係止されるとともに、他端部１３が、頭部３及び胴部の境界部分に形成される凹所に係止される。また、ホルダ１２の他端部１３は、鍵体１に装着された状態では、屈曲した部分と頭部３との間に孔（第３取付孔）が形成され、この孔に、名札７付きストラップ８が取り付けられている。なお、ホルダ１２は、この孔が鍵山部と同じく上方側に配置されるよう、頭部に装着される。
【００２９】
なお、ストラップ８の一端には、ここでは、ハート型の名札７が取り付けられている。
以上のホルダ付き鍵体では、ハート型名札７を引っ張れば、図示されるように、複数の鍵体の束の中から利用したい鍵体１のみを選択できるとともに、取り出された鍵体１をそのまま鍵穴に差し込み可能な姿勢で取り出すことができる。
【００３０】
なお、鍵穴の向きが上下逆である場合、ホルダ１２は、頭部３との間に形成される孔が鍵山部２と逆側に配置されるよう、頭部３に装着することで、これと同様の効果が得られる。
【図面の簡単な説明】
【００３１】
【図１】本発明の第１実施形態が採用されたホルダ付き鍵体を示す外観図。
【図２】本発明の第２実施形態が採用された鍵体を示す外観図。
【図３】本発明の第３実施形態が採用されたホルダ付き鍵体を示す外観図。
【図４】図３のホルダ付き鍵体のホルダを示す外観図。
【符号の説明】
【００３２】
１  鍵体
２  鍵山部
３  頭部
４  ホルダ
５  リング穴（第１取付孔）
７  名札
６  小孔（第２取付孔）
８  ストラップ（紐状部材）
９  リング（リング状部材）
１０，１１  くびれ部
１２  ホルダ
１３  ホルダ１２の他端部
１４  ストラップ取付孔（第３取付孔）
【図１】
2006348679.tif 000003
【図２】
2006348679.tif 000004
【図３】
2006348679.tif 000005
【図４】
2006348679.tif 000006